(57)【要約】【課題】発泡樹脂材料の使用量を抑え、リサイクル性に優れ、ボトル状容器の取り付け取り外しを容易にでき、ボトル状容器を再利用できる包装装置を提供する。【解決手段】製品２０の下部２１の隅部に配置した下部緩衝部材４０、上部２２の隅部に配置した上部緩衝部材５０前記緩衝部材と、包装箱３０とを備える包装装置である。上下緩衝部材４０、５０を発泡樹脂材料で形成し、製品２０の保持位置から外れた箇所のへこみ部４１、５１に使用済みのペットボトル容器６０を鉛直方向に挿入できるようにすると共にペットボトル容器６０の上部緩衝部材５０が下部緩衝部材４０、上部緩衝部材５０から飛び出す穴部４２、５２を形成する。【選択図】図３
2013233940.tif 000002
【特許請求の範囲】
【請求項１】
製品の隅部に設置する複数個の緩衝部材と、前記緩衝部材を取り付けた前記製品を梱包する包装箱とを備える包装装置であって、
前記緩衝部材の前記製品の保持位置から外れた箇所にボトル状容器を挿入できると共に、前記ボトル状容器を保持した状態で前記ボトル状容器の一部が前記緩衝部材から飛び出す穴部を形成したことを特徴とする包装装置。
【請求項２】
前記緩衝部材に保持したボトル状容器で製品に隣接して配置した緩衝部材を連結することを特徴とする請求項１に記載の包装装置。
【請求項３】
前記緩衝部材を配置した前記製品を前記包装箱に収納した状態で、前記ボトル状容器の端部が前記包装箱の内面と当接することを特徴とする請求項１または請求項２に記載の包装装置。
【請求項４】
前記緩衝部材を配置した前記製品を前記包装箱に収納した状態で前記ボトル状容器の下面が前記包装箱の下面の内壁と接触し、
包装装置を積み重ねた状態で、前記ボトル状容器の上部が、上段の包装装置に配置された前記ボトル状容器の下面に接触することを特徴とする請求項１に記載の包装装置。
【請求項５】
前記包装箱の上面には前記ボトル状容器の上部が前記包装箱から突出するように切欠穴が設けられ、
前記包装箱の下面には前記ボトル状容器の上部が挿入される切欠穴が設けられていることを特徴とする請求項４に記載の包装装置。
【発明の詳細な説明】
【技術分野】
【０００１】
本発明は、包装装置に係り、特に製品の梱包に用いる包装装置に関する。
【背景技術】
【０００２】
複写機、プリンター、紙搬送装置などの製品を梱包するための包装装置としてペットボトル容器（ボトル状容器）を使用するものがある。特許文献１は、薄肉成形プラスチック材にペットボトル容器を差し込み固定し、これを製品と包装箱との間に配置して、ペットボトル容器を包装箱の６面に沿って延びるように配置したものを開示する。また、この他にも特許文献２、特許文献３、特許文献４、特許文献５は、ペットボトル容器を使用した包装装置を開示する。
【発明の概要】
【発明が解決しようとする課題】
【０００３】
従来のこのような包装装置は、リサイクル性に優れている。しかし、特許文献１に記載のものは、薄肉成形プラスチック材を使用しているため衝撃緩衝性能が低く、ペットボトル容器のみの衝撃緩衝効果に依存している。このため、落下衝撃により、製品が破損してしまうという問題がある。
【０００４】
また、特許文献２〜５に記載のものも、ペットボトル容器のみの衝撃緩衝効果に依存しているので、落下衝撃により、製品が破損してしまうという問題がある。そして、特許文献１に記載のものは、多湿環境下で包装箱を段積みしたとき、包装箱が上からの荷重により潰れてしまうことがある。この問題を解決するため、特許文献６は、包装箱の潰れを防止する支柱を使用するものを開示する。しかし、これは高価で廃棄処理が困難であるという問題がある。さらに特許文献３、特許文献４に記載のものもフレーム材を使用しており、包装装置が高価なものとなってしまう。
【０００５】
さらに、特許文献５に記載のものは、包装装置の側壁をペットボトルが挿入された筒状部材のみで構成しているため、筒状部材が衝撃により外れてしまい、積み上げられた包装装置が、振動、衝撃により横ずれしてしまう。
【０００６】
本発明は上述の点にかんがみてなされたものであり、ボトル状容器の取り付け、取り外しを容易にでき、ボトル状容器を再利用できる包装装置を提供することを目的とする。
【課題を解決するための手段】
【０００７】
本発明に係る包装装置は、製品の隅部に設置する複数個の緩衝部材と、前記緩衝部材を取り付けた前記製品を梱包する包装箱とを備える包装装置であって、前記緩衝部材の前記製品の保持位置から外れた箇所にボトル状容器を挿入できると共に、前記ボトル状容器を保持した状態で前記ボトル状容器の一部が前記緩衝部材から飛び出す穴部を形成したことを特徴とする包装装置である。
【発明の効果】
【０００８】
本発明によれば緩衝部材の使用量を抑え、緩衝部材から容易にボトル状容器を取り付け、取り外しでき、ボトル状容器を再利用できる。
【図面の簡単な説明】
【０００９】
【図１】実施形態１に係る包装装置の全体を示す斜視図である。
【図２】実施形態１に係る包装装置を示すものであり、（a）は製品、下部緩衝部材、上部緩衝部材およびペットボトル容器を組み立てた状態を示す斜視図、（ｂ）は包装箱を示す斜視図である。
【図３】実施形態１に係る包装装置に製品が梱包された状態を示す側面図である。
【図４】実施形態１に係る包装装置の下部緩衝部材を示す斜視図である。
【図５】実施形態１に係る包装装置の上部緩衝部材を示す斜視図である。
【図６】実施形態１に係る包装装置を積みつけた状態を示す側面図である。
【図７】実施形態２に係る包装装置の全体を示す斜視図である。
【図８】実施形態２に係る包装装置の筒状部材とボトル状容器を組み立てた状態を示す斜視図である。
【図９】実施形態２に係る包装装置の製品、包装箱、下部緩衝部材、上部緩衝部材、ボトル状容器および筒の組み立状態を示す斜視図である。
【発明を実施するための形態】
【００１０】
本発明を実施するための形態に係る包装装置について説明する。
【００１１】
＜実施形態１＞
以下実施形態１に係る包装装置１０について説明する。図１は実施形態１に係る包装装置の全体を示す斜視図、図２は実施形態１に係る包装装置を示すものであり、（a）は製品、下部緩衝部材、上部緩衝部材およびペットボトル容器を組み立てた状態を示す斜視図、（ｂ）は包装箱を示す斜視図、図３は実施形態１に係る包装装置に製品が梱包された状態を示す側面図である。
【００１２】
実施形態１に係る包装装置１０は、小型プリンター、紙搬送装置などの製品２０を梱包するために用いる。包装装置１０は、段ボール等からなる包装箱３０、製品２０の下部２１に取り付けて、製品２０を保護する４つの下部緩衝部材４０、製品２０の上部２２に取り付けて製品２０を保護する４つの上部緩衝部材５０、および８本のボトル状容器であるペットボトル容器６０を備える。ここで、ペットボトル容器６０は、同一の形状寸法であり、各１本をそれぞれ下部緩衝部材４０および上部緩衝部材５０に配置する。なお、ペットボトル容器は、使用済み、または未使用で空のものを用いる。
【００１３】
包装装置１０では、図２および図３に示すように、下部緩衝部材４０を製品２０の下部２１の四隅に配置し、上部緩衝部材５０を製品２０の上部２２の四隅に配置する。そして製品２０を下部緩衝部材４０および上部緩衝部材５０で挟み込んだ状態で、包装箱３０内に格納する。
【００１４】
次に下部緩衝部材４０および上部緩衝部材５０について説明する。まず下部緩衝部材４０について説明する。図４は実施形態１に係る包装装置の下部緩衝部材を示す斜視図である。下部緩衝部材４０は発泡樹脂材料、例えば発泡スチロール材で構成する。なお下部緩衝部材４０の材質は発泡樹脂材料に限らず、他の緩衝性のある材料とすることができる。下部緩衝部材４０は、ペットボトル容器６０の高さ寸法ｈよりやや小さい厚さ寸法ｄ１（ｈ＞ｄ１）の４角柱状部材である緩衝部材本体４３の対向する２つの隅部にへこみ部４１、４４を形成して構成する。そして、下部緩衝部材４０の一方のへこみ部４１にはペットボトル容器６０を垂直方向に挿入する穴部４２を開設する。この穴部４２は、下部緩衝部材４０が製品２０を保持するする位置から外れた位置となる。また、この穴部４２は、ペットボトル容器６０とほぼ同一の径とする。これによりペットボトル容器６０を挿入した際にペットボトル容器６０の飲み口をなす上部６１がへこみ部４１から若干飛び出し、ペットボトル容器６０の上部６１が緩衝部材本体４３の上面から飛び出る。また、他方のへこみ部４４は、製品２０の下部２１の隅部に接触する形状とし、製品を保持する。
【００１５】
次に上部緩衝部材５０について説明する。図５は実施形態１に係る包装装置の上部緩衝部材を示す斜視図である。上部緩衝部材５０は発泡樹脂材料、例えば発泡スチロール材で構成する。なお上部緩衝部材５０の材質は発泡樹脂材料に限らず、他の緩衝性のある材料とすることができる。上部緩衝部材５０は、ペットボトル容器６０の高さ寸法ｈよりやや小さい厚さ寸法ｄ２（ｈ＞ｄ２）の４角柱状部材である緩衝部材本体５３の対向する２つの隅部にへこみ部５１、５４を形成して構成する。そして、一方のへこみ部５１にはペットボトル容器６０を垂直方向に挿入する穴部５２を開設する。この穴部５２は、上部緩衝部材５０が製品２０を保持するする位置から外れた位置となる。また、穴部５２は、ペットボトル容器６０とほぼ同一の径とする。これによりペットボトル容器６０を挿入した際にペットボトル容器６０の飲み口をなす上部６１がへこみ部５１から上側に飛び出す。また、一方のへこみ部５４は、製品２０の上部２２の隅部に接触する形状として、製品２０を保持する。
【００１６】
ここで、ペットボトル容器６０の高さ寸法ｈと下部緩衝部材４０の厚さ寸法ｄ１、上部緩衝部材５０の厚さ寸法ｄ２とは次のように定める。すなわち、下部緩衝部材４０および上部緩衝部材５０を製品２０に取り付けた状態で、包装箱３０内に配置したとき、下部緩衝部材４０のペットボトル容器６０の下面６２が包装箱３０の下面３１内壁と接触し、かつ下部緩衝部材４０のペットボトル容器６０の上面６３が上部緩衝部材５０のペットボトル容器６０の下面６２と接触する。また、同じく上部緩衝部材５０のペットボトル容器６０の上面６３が、包装装置１０が積みつけられた際、上段の包装装置１０の下部緩衝部材４０に配置されたペットボトル容器６０の下面６２に接触する。
【００１７】
次に包装箱３０について説明する。包装箱３０は段ボール製の直方体をなし、その上面３２には、製品２０に下部緩衝部材４０および上部緩衝部材５０を取り付けて配置したとき、上部緩衝部材５０のペットボトル容器６０の上部６１が包装箱３０の上面３２から飛び出る切り上側切欠穴３２ａを開設する。また、包装箱３０の下面３１には、包装装置１０を重ねたとき、下段の包装装置１０の上部緩衝部材５０に配置したペットボトル容器６０の上部６１が通過できる下側切欠穴３１ａを開設する。
【００１８】
これにより、包装装置１０を積みつけるとき、図６に示すように、下段にある包装箱３０に作用する上段の包装装置１０からの荷重が、下段に配置された包装箱３０とペットボトル容器６０で支持される。このため、多湿環境下においても確実に包装箱３０の潰れを防止することができる。
【００１９】
実施形態に係る製品２０を包装する際は、包装箱３０内に下部緩衝部材４０を四隅に配置して製品２０を配置する。そして、下部緩衝部材４０の穴部４２にペットボトル容器６０を垂直方向に挿入する。次に上部緩衝部材５０を製品２０の上部２２にセットし、上部緩衝部材５０の穴部５２にペットボトル容器６０を垂直方向に挿入する。その後、包装箱３０の上面３２を封函する。すると、上部緩衝部材５０に配置されたペットボトル容器６０の上部６１が包装箱３０の上面３２から上側切欠穴３２ａを通して突出し、包装装置１０による製品２０の梱包が完了する。この状態で、下部緩衝部材４０に配置したペットボトル容器６０の上部６１が上部緩衝部材５０に配置したペットボトル容器６０の下面６２に接触する。
【００２０】
以上説明したように、実施形態１に係る包装装置１０によれば、下部緩衝部材４０および上部緩衝部材５０は緩衝性能の高い発泡樹脂材料とペットボトル容器６０を組み合わせて形成しているため、緩衝性に優れる。また、ペットボトル容器６０が使用することにより、上下緩衝部材４０、５０の発泡樹脂材料の使用量を少なくできる。さらにペットボトル容器６０の上部６１がへこみ部４１、５１から飛び出ているので、上部６１をつまんで容易にペットボトル容器６０を差し入れ、取り出しができ、ペットボトル容器６０の再利用を促すことができる。このため、リサイクル性に優れ、環境に優しいものとできる。また、ペットボトル容器６０は下部緩衝部材４０と上部緩衝部材５０の穴部４２、５２に収納するので、ペットボトル容器６０が位置ずれすることなく、固定できる。
【００２１】
さらに、包装装置１０を段積みするとき、下段に配置された包装装置１０の上部緩衝部材５０に配置されたペットボトル容器６０の上部６１が上段に配置された包装箱３０の下面３１に設けられた下側切欠穴３１ａに完全に挿入された状態となる。これにより、下段に配置された包装装置１０と上段に配置された包装装置１０が位置決めされ、横ずれを防止できる。
【００２２】
＜実施形態２＞
次に実施形態２に係る包装装置について説明する。実施形態２に係る包装装置１１０は、実施形態１より高さ寸法が大きい小型プリンター、紙搬送装置などの製品１２０を梱包するために用いる。実施形態２に係る包装装置１１０では、ペットボトル容器６０は筒状部材１７０に収納して用いる。
【００２３】
図７は実施形態２に係る包装装置の全体を示す斜視図、図８は実施形態２に係る包装装置の筒状部材とボトル状容器を組み立てた状態を示す斜視図、図９は実施形態２に係る包装装置の製品、包装箱、下部緩衝部材、上部緩衝部材、ボトル状容器および筒の組み立状態を示す斜視図である。
【００２４】
実施形態２に係る包装装置１１０は、段ボールからなる包装箱１３０、製品１２０の下部１２１を保護する４つの下部緩衝部材１４０、製品１２０の上部１２２を保護する４つの上部緩衝部材１５０、そして１２本の使用済みのペットボトル容器６０とペットボトル容器６０を３本ずつ垂直方向に挿入できる４本の筒状部材１７０とを備える。
【００２５】
下部緩衝部材１４０と上部緩衝部材１５０は、実施形態１に係る包装装置１０に使用した下部緩衝部材４０および上部緩衝部材５０とほぼ同一の形状を備える。すなわち、下部緩衝部材１４０および上部緩衝部材１５０は、発泡樹脂材料である発泡スチロール材からなり、それぞれへこみ部１４１、１５１にペットボトル容器６０が垂直方向に挿入された筒状部材１７０が垂直方向に挿入できるように穴部１４２、１５２を形成している。穴部１４２、１５２の内径は、筒状部材１７０の外径とほぼ同一である。他のへこみ部１４４、１５４は製品保持部となる。
【００２６】
また、筒状部材１７０は紙管、段ボール管等からなり、その内径はペットボトル容器６０を内部に保持できるように、ペットボトル容器６０の外径とほぼ同一の内径を備える。
【００２７】
さらに筒状部材１７０の高さ寸法ｈ３（図８（a）参照）はペットボトル容器６０を３本挿入した際、ペットボトル容器６０の上部６１が突出するように、３本のペットボトル容器６０を重ねたときの高さ寸法ｈ４（図８（ｂ）参照）よりやや小さくしている。そして、下部緩衝部材１４０および上部緩衝部材１５０で製品１２０を挟んで配置したときの高さ寸法ｄ３（図９参照）が、３本のペットボトル容器６０を筒状部材１７０内に配置したときの高さ寸法ｈ３よりやや小さいものとしている（ｈ４＞ｄ３）。
【００２８】
製品１２０を包装する際は、包装箱１３０内に下部緩衝部材１４０を四隅に配置し、製品１２０を設置する。そして、上部緩衝部材１５０を製品１２０の上部１２２に配置し、上部緩衝部材５０の穴部１５２と下部緩衝部材１４０の穴部１４２に筒状部材１７０を垂直方向に挿入し、３本のペットボトル容器６０を各筒状部材１７０へ垂直方向に挿入する。その後、包装箱１３０の上面１３２を封函すると、上部緩衝部材５０に配置されたペットボトル容器６０の上部６１が包装箱１３０の上面１３２から上側切欠穴１３２ａを通して突出し、実施形態２に係る包装装置１１０の梱包が完了する。なお、図中符号１３１aは包装箱１３０の下面に開設した下側切欠穴を示している。
【００２９】
このように製品１２０の高さ寸法が大きい場合は、筒状部材１７０の高さを製品１２０の高さ寸法に合わせて調整し、複数個のペットボトル容器６０を挿入することにより対応することができる。
【００３０】
実施形態２に係る包装装置１１０は、複数個のペットボトル容器６０が連結した構成となっていることにより、包装装置１１０が積みつけられた際、下段にある包装箱１３０に加わる上段の包装装置１１０からの荷重が確実に全てのペットボトル容器６０で支持されることになり、包装箱１３０の潰れを防止することができる。また、下部緩衝部材４０および上部緩衝部材５０は、ペットボトル容器６０を収容した筒状部材１７０で連結されることとなる。このため、上下緩衝部材４０、５０の位置関係を保持できる。
【００３１】
なお、実施形態１、および実施形態２では、上下緩衝部材４０、５０を連結する例を示したが、製品２０の水平方向に隣接する緩衝部材をペットボトル容器６０や、ペットボトル容器６０を収容した筒状部材１７０を用いて連結することができる。このようにすると、隣接して配置した緩衝部材に負荷する荷重をペットボトル容器で担い、隣接する緩衝部材の位置関係を保持して製品２０を横荷重から保護することができる。
【００３２】
なお、ペットボトル容器には、製品のネジ等の付属品を挿入することに利用することも可能である。また、緩衝部材、ボトル状容器の形状、配置および数量について適宜変更ができ実施形態に記載した例に限定されない。
【００３３】
以上説明したように、実施形態に包装装置によれば、緩衝部材の穴部に再利用したペットボトル容器をぴったりとあわせて挿入することができ、緩衝部材から飛び出したペットボトル容器の上部をつまんで持てるので、容易にボトル状容器の取り付け取り外しができ、リサイクル性に優れて環境に優しく、ペットボトル容器を何度も再利用できる。
【００３４】
また、実施形態に係る包装装置によれば、包装箱を段積みした際、包装箱にかかる上からの荷重が確実にペットボトル容器に加わるので、多湿環境下においても確実に包装箱の潰れを防止することができる。
【００３５】
さらに実施形態に係る包装装置によれば、包装箱を段積みした際に、下段の包装箱の上部から飛び出しているペットボトル容器の上部が上段包装箱の下側の切欠穴にはめ込まれるので、上段を確実に位置決めすることができ、包装箱の横ずれを防止することができる。
【符号の説明】
【００３６】
１０：包装装置
２０：製品
２１：下部
２２：上部
３０：包装箱
３１：下面
３１ａ：下側切欠穴
３２：上面
３２ａ：上側切欠穴
４０：下部緩衝部材
４１：へこみ部
４２：穴部
４３：緩衝部材本体
４４：へこみ部
５０：上部緩衝部材
５１：へこみ部
５２：穴部
５３：緩衝部材本体
５４：へこみ部
６０：ペットボトル容器
６１：上部
６２：下面
６３：上面
【先行技術文献】
【特許文献】
【００３７】
【特許文献１】特開２００１−３３５０２４公報
【特許文献２】特開２０１０−１２６１６０公報
【特許文献３】特許３８３９４３０公報
【特許文献４】特許４７８５５１７公報
【特許文献５】特開２００９−０６７４５０公報
【特許文献６】特開２００６−５１９９４公報
【図１】
2013233940.tif 000003
【図２】
2013233940.tif 000004
【図３】
2013233940.tif 000005
【図４】
2013233940.tif 000006
【図５】
2013233940.tif 000007
【図６】
2013233940.tif 000008
【図７】
2013233940.tif 000009
【図８】
2013233940.tif 000010
【図９】
2013233940.tif 000011